(57)【要約】【課題】  刈り高さ調整可能であるとともに、毛髪の導入性向上と固定刃の強度及び刃数確保を同時に達成することのできるバリカンを提供する。【解決手段】  両側に刃を有する多数の櫛突起２ａ，３ａを並設して成る櫛刃状の固定刃２と可動刃３とを具備し、固定刃２に対して可動刃３を櫛突起２ａ，３ａの並設方向Ｘに往復摺動させて毛髪を切断するとともに、固定刃２又は可動刃３を櫛突起２ａ，３ａの突出方向Ｙにスライドさせて刈り高さを調整するバリカンにおいて、上記固定刃２の各櫛突起２ａの先端に、櫛突起２ａの両側の刃の突出方向Ｙに対する傾斜角αよりも大きな傾斜角βで先細テーパ状に形成された毛髪導入用の案内凸部２１を形成しておく。【選択図】        図１
2007054545.tif 000002
【特許請求の範囲】
【請求項１】
両側に刃を有する多数の櫛突起を並設して成る櫛刃状の固定刃と可動刃とを具備し、固定刃に対して可動刃を櫛突起の並設方向に往復摺動させて毛髪を切断するとともに、固定刃又は可動刃を櫛突起の突出方向にスライドさせて刈り高さを調整するバリカンにおいて、上記固定刃の各櫛突起の先端に、櫛突起の両側の刃の突出方向に対する傾斜角よりも大きな傾斜角で先細テーパ状に形成された毛髪導入用の案内凸部を設けることを特徴とするバリカン。
【請求項２】
上記案内凸部が、先端幅を毛髪の幅以下に形成したものであることを特徴とする請求項１に記載のバリカン。
【発明の詳細な説明】
【技術分野】
【０００１】
本発明は、固定刃に対して可動刃を往復摺動させて毛髪を切断するバリカンに関するものである。
【背景技術】
【０００２】
従来から、両側に刃を有する多数の櫛突起を並設して成る櫛刃状の固定刃と可動刃とを具備するバリカンが知られている。このバリカンは、固定刃に対して可動刃を櫛突起の並設方向に往復摺動させて毛髪を切断するものであり、固定刃に対して可動刃を櫛突起の突出方向にスライドさせることで刈り高さが調整可能になっている（特許文献１参照）。
【０００３】
図９には、従来のバリカンに具備される固定刃５０を示している。この固定刃５０に多数並設される櫛突起５１は、該櫛突起５１の突出方向に対して両側の刃が小さな傾斜角αで先細状に形成されたものである。ここで、隣接する櫛突起５１間に形成される刃溝５２内への毛髪の導入性を高めるには、櫛突起５１の先端幅が一般的な毛髪幅である０．１ｍｍと同程度或いはそれより小さいことが望まれるのだが、刈り高さ調整可能なバリカンの固定刃５０にあっては櫛突起５１の突出長さＬを大きく設ける必要があるので、上記櫛突起５１において先端幅を０．１ｍｍ程度まで小さくした場合には櫛突起５１全体が非常に細くなって強度を確保できないという問題が生じる。
【０００４】
これに対して、上記櫛突起５１の先端幅を０．１ｍｍ程度に設けるとともに両側の刃の傾斜角αを大きく設けることで、各櫛突起５１の強度を確保することも考えられる。しかしこのように傾斜角αが大である場合には、櫛突起５１の突出長さＬが大きいことから該櫛突起５１の根元部分の幅が非常に大きくなって固定刃２全体の刃数が減少してしまい、カットチャンスが減少したり、また刃溝５２内から毛髪が逃げ易くなるといった問題が生じる。
【０００５】
つまり、刈り高さ調整可能となるように固定刃５０の櫛突起５１の突出長さＬを大きく設けたバリカンにあっては、櫛突起５１間への毛髪の導入性を向上させることと、固定刃５０の強度を確保することと、固定刃５０の刃数を確保することを同時に達成することが困難であるという問題があった。
【特許文献１】特開平５−３１７５３７号公報
【発明の開示】
【発明が解決しようとする課題】
【０００６】
本発明は上記問題点に鑑みて発明したものであって、刈り高さ調整可能であるとともに、毛髪の導入性を向上させることと、固定刃の強度を確保することと、固定刃の刃数を確保することを同時に達成可能なバリカンを提供することを課題とするものである。
【課題を解決するための手段】
【０００７】
上記課題を解決するために本発明を、両側に刃を有する多数の櫛突起２ａ，３ａを並設して成る櫛刃状の固定刃２と可動刃３とを具備し、固定刃２に対して可動刃３を櫛突起２ａ，３ａの並設方向Ｘに往復摺動させて毛髪を切断するとともに、固定刃２又は可動刃３を櫛突起２ａ，３ａの突出方向Ｙにスライドさせて刈り高さを調整するバリカンにおいて、上記固定刃２の各櫛突起２ａの先端に、櫛突起２ａの両側の刃の突出方向Ｙに対する傾斜角αよりも大きな傾斜角βで先細テーパ状に形成された毛髪導入用の案内凸部２１を設けたものとする。
【０００８】
上記構成のバリカンにあっては、毛髪を切断しようとする際に、固定刃２の案内凸部２１に当る毛髪は該案内凸部２１の傾斜角βの両テーパ面を滑り、隣接する櫛突起２ａ間に倒されることなく高効率で導入される。しかも、傾斜角αの櫛突起２ａにあっては根元から先端にかけて充分な幅を保つことができるので、刈り高さ調整可能とするために突出長さを大きく設けているにも関わらず強度を確保することができる。加えて、上記の如く櫛突起２ａ自体の傾斜角αが小さいことから、櫛突起２ａの根元幅が必要以上に大きくならずに刃数が確保されるものである。
【０００９】
また、上記案内凸部２１は、先端幅を毛髪の幅以下に形成したものであることが好ましい。このようにすることで、毛髪の導入性を更に向上させることができる。
【発明の効果】
【００１０】
本発明は、刈り高さ調整可能であるとともに、毛髪の導入性を向上させることと、固定刃の強度を確保することと、固定刃の刃数を確保することが同時に達成可能であるという効果を奏する。
【発明を実施するための最良の形態】
【００１１】
以下、本発明を添付図面に示す実施形態に基いて説明する。本発明の実施形態における一例のバリカンは、図３に示すような把持部を兼ねた細長形状の本体部１の長手方向先端（図３中の上端）に、固定刃２と可動刃３とを有する刃ブロック４を装着し、本体部１内に配してあるモータ５を駆動源として上記刃ブロック４の可動刃３を固定刃２に対して本体部１の短手方向（図３（ｂ）中の左右方向）に往復摺動させることで、固定刃２先端の刃溝２ｂ内に導入した毛髪を可動刃３との間で挟み込んで切断するものである。
【００１２】
図４に示すように上記本体部１は、片手で把持し得る側面視略Ｓ字状の外殻を成す本体ハウジング６内に、充電池７と、充電池７により電力を供給されて回転駆動されるモータ５と、モータ５の回転駆動力を図中上端側に伝達する動力伝達機構８と、動力伝達機構８により偏心回転駆動される偏心軸９と、外部に露出させてある操作スイッチ１０の押込み操作に応じてモータ５への電力供給を制御する制御部１１とを具備している。上記偏心軸９は、刃ブロック４に備えてある後述の案内板１７と連結するように本体ハウジング６から図中上方に突出させてある。また、本体ハウジング６外面における操作スイッチ１０の図中上方部分には、刈り高さ調整用のダイヤル１３が回動自在に配してあり、本体ハウジング６内にはこのダイヤル１３の正逆回転と連動して刃ブロック４に備えてある後述の切替レバー１９を起倒操作する伝達機構１５を備えている。
【００１３】
図５には刃ブロック４の全体斜視図、図６には刃ブロック４の分解斜視図を示している。上記刃ブロック４は、両側に刃を有する先細状の櫛突起２ａを多数並設して成る櫛刃状の固定刃２と、同じく両側に刃を有する先細状の櫛突起３ａを多数並設して成る櫛刃状の可動刃３と、固定刃２に係合させるためのフック１６ａを有して該フック１６ａにより固定刃２を固定する固定板１６と、可動刃３に係合させるためのフック１７ａを有して該フック１７ａ及びヒートシールにより可動刃３を固定する案内板１７と、可動刃３を固定刃２側に押し付ける付勢力を与えるような弾性変形状態で固定板１６と案内板１７との間に配されるコイル状の押上ばね１８と、固定板１６に形成してある半円溝部１６ｂに枢支される円柱部１９ａを有して該円柱部１９ａを中心として固定板１６上に起倒自在に配されるとともに、押上ばね１８のコイル部分が嵌合配置されることで該押上ばね１８により倒伏姿勢側に付勢される切替レバー１９とを具備し、押上ばね１８の付勢力に抗して切替レバー１９を起立姿勢側に回動操作すれば該押上ばね１８及び案内板１７を介して、可動刃３が固定刃２に対して押圧状態を保持しながら櫛突起２ａ，３ａの突出する方向（以下、これを「突出方向Ｙ」という）に向けてスライドするようになっている。
【００１４】
上記切替レバー１９の起倒操作は、伝達機構１５に備えてある操作部材２０（図７、図８参照）が切替レバー１９に設けてある突起部１９ｂを図８（ｂ）の矢印方向に押し込むことで為される。つまり、ダイヤル１３の回転位置を所定の正方向に移動させると伝達機構１５を介して、切替レバー１９が押上ばね１８の付勢力に抗して起立姿勢に向けて回動され、これにより可動刃３はその櫛突起３ａの先端が固定刃２の櫛突起２ａの先端に接近するようにスライドする。そしてダイヤル１３の回転位置を逆方向に移動させると切替レバー１９は押上ばね１８の付勢力により倒伏姿勢に向けて回動し、可動刃３はその櫛突起３ａの先端が固定刃２の櫛突起２ａの先端から離れるようにスライドする。
【００１５】
ここで、固定刃２の櫛突起２ａはその肉厚ｔが突出方向Ｙに沿って変化するように側面視尖鋭形状に形成してあるから、上記の如く固定刃２に対する可動刃３のスライド位置を変更することで毛髪の刈り高さを調整することができる。なお、上記の刈り高さ調整機構は一例に過ぎず、使用者の操作に応じて可動刃３を固定刃２に対して突出方向Ｙにスライド自在でさえあれば、他の公知な刈り高さ調整機構のいずれを用いても構わない。
【００１６】
そして、本例にあっては上記の刈り高さ調整可能なバリカンにおいて固定刃２の強度を確保しながらも、固定刃２の隣接する櫛突起２ａ間に形成される刃溝２ｂ内への毛髪の導入性を向上させ、且つ固定刃２の刃数を確保するために、固定刃２の各櫛突起２ａに図１（ｂ）に示すような案内凸部２１を設けている。
【００１７】
上記案内凸部２１は、固定刃２の櫛突起２ａの先端部分であって可動刃３の櫛突起３ａよりも先端側に突出する部分に形成される毛髪ガイド用の部分であり、突出方向Ｙに対して固定刃２の櫛突起２ａの両側の刃の傾斜角αよりも大きな傾斜角βで先細テーパ状に形成されるとともに、その先端には略平坦な先端面を有するものである。ここで、上記傾斜角αは０〜１０°に形成して櫛突起２ａ全体としては根元側から先端側にかけて幅が均一又は僅かに減少するように設けるとともに、上記傾斜角βは１０〜２０°に形成して案内凸部２１にあっては幅が急激に減少するように設け、且つ案内凸部２１には先端幅Ｗが０．１ｍｍとなるように先端面を形成する。
【００１８】
したがって、毛髪を切断しようとする際に、固定刃２の案内凸部２１に当った毛髪は該案内凸部２１の傾斜角βの両テーパ面を滑り、倒されることなく刃溝２ｂ内に高効率で導入される。しかも、固定刃２の櫛突起２ａは刈り高さ調整可能とするために突出長さＬを大きく設けているにも関わらず、傾斜角αが小さいので根元から先端にかけて０．３ｍｍ程度の略均一な幅となって強度が確保される。加えて上記の如く傾斜角αが小さいことから、櫛突起２ａの根元幅が必要以上に大きくならずに刃溝２ｂの数が確保され、且つ刃溝２ｂ内から毛髪が逃げることも防止される。
【００１９】
なお、案内凸部２１の先端幅Ｗは毛髪の導入性を高めるために上記の如く毛髪幅と同程度の０．１ｍｍとしているが、この先端幅Ｗは０．１ｍｍ以下であってもよい。
【００２０】
また、固定刃２の櫛突起２ａが並設する方向（以下、これを「並設方向Ｘ」という）の両側端部には、可動刃３と対向する面を除く略全面において、曲率半径が大きく円滑な凸曲面２２を形成している（図５、図６参照）。上記凸曲面２２は、並設方向Ｘの端側に近付く程にその厚みが小さくなるような滑らかな凸状に形成したものであり、且つ突出方向Ｙの根元側から刃先側にかけて連続して形成してあるので、特に耳周りの毛髪を切断する場合のように刃ブロック４を傾けて使用する際の、固定刃２と肌との滑りが良好となっている。
【００２１】
また図２（ａ）、（ｂ）に示すように固定刃２には、カットされた毛髪や刈り残りの毛髪を整毛する櫛のような役割を果たすように、刃溝２ｂの底縁から伸びる傾斜面２３を、突出方向Ｙと直交する面Ｓに対して角度Ａだけ傾斜させて成形している。なお、単に傾斜面２３を角度Ａで成形しただけの場合には、可動刃３との摺接面１２を研削可能する際に図中の二点鎖線で示すようなバリ３０が発生してしまうので、このバリ３０発生分を考慮して、上記傾斜面２３の刃溝２ｂ近傍部分だけを上記角度Ａよりも小さな角度Ｂをつけた図中一点鎖線で示すような傾斜面２３ａに成形しておく。これによってバリ３０の発生量を極力抑制し、毛髪の通りを妨げることを防止するものである。
【００２２】
上記固定刃２は、金属粉末射出成形（ＭＩＭ）により製造する。これにより、固定刃２の上述した各部形状を自在に成形することが可能となり、また後加工が不要なのでコストを削減することができる。
【図面の簡単な説明】
【００２３】
【図１】本発明の実施形態における一例のバリカンの固定刃を示し、（ａ）は正面図、（ｂ）は（ａ）のＤ部拡大図である。
【図２】同上のバリカンの固定刃を示し、（ａ）は図１のＰ−Ｐ線断面図、（ｂ）は（ａ）のＥ部拡大図である。
【図３】同上のバリカン全体を示し、（ａ）は側面図、（ｂ）は正面図である。
【図４】図３（ｂ）のＱ−Ｑ線断面図である。
【図５】同上のバリカンの刃ブロックの全体斜視図である。
【図６】同上の刃ブロックの分解斜視図である
【図７】同上の刃ブロックの刈り高さを小さく設定した場合を示し、（ａ）は正面図、（ｂ）は側面図である。
【図８】同上の刃ブロックの刈り高さを大きく設定した場合を示し、（ａ）は正面図、（ｂ）は側面図である。
【図９】従来のバリカンの固定刃を示し、（ａ）は正面図、（ｂ）は（ａ）のＣ部拡大図である。
【符号の説明】
【００２４】
２  固定刃
２ａ  櫛突起
３  可動刃
３ａ  櫛突起
α  傾斜角
β  傾斜角
Ｗ  先端幅
Ｘ  並設方向
Ｙ  突出方向
【図１】
2007054545.tif 000003
【図２】
2007054545.tif 000004
【図３】
2007054545.tif 000005
【図４】
2007054545.tif 000006
【図５】
2007054545.tif 000007
【図６】
2007054545.tif 000008
【図７】
2007054545.tif 000009
【図８】
2007054545.tif 000010
【図９】
2007054545.tif 000011